Podtech/llm-jp-corpus-v4-ja_patent huggingface dataset:
(57)【要約】【課題】  従来のシャワーカプセルは、その洗浄効果とマッサージ効果等において、使用する水の水質面での問題があり、アトピー症等の皮膚に敏感な使用者には使用ができない場合が多かった。【解決手段】従来のシャワーカプセル（１）に水分子微細化システム（２）を設けることにより、水の分子を軟質かつ良質の水質に変換させて当該カプセル内で放水させることで、洗浄力の向上と、使用者の皮膚のコンディションに関わらず、効果的なマッサージ効果と爽快感を提供できる。【選択図】図１
2008036374.tif 000002
【特許請求の範囲】
【請求項１】
任意のシャワーカプセル（１）の注水口に任意の水分子微細化システム（２）を設けた構造を特徴とするウォーターカプセル。
【発明の詳細な説明】
【技術分野】
【０００１】  本発明は美容および医療等の分野で使用されている身体の洗浄および水圧マッサージ用のカプセルに関する。
【背景技術】
【０００２】  従来、全身あるいは顔以外の身体を洗浄あるいはマッサージするための水圧ノズルを複数内部に設けたシャワーカプセル（１）が流通しているが、これらのシャワーカプセル（１）に使用する水あるいは温水は、一般水道水から直接引き込む構造のため、水質が良好ではなく、また、水の分子が多重に結合している場合が多く、洗浄力や敏感な肌を持つ人には、その使用において逆効果を得る場合があった。
【発明の開示】
【発明が解決しようとする課題】
【０００３】  これらの原因となるのは、カプセル内で使用する水質の良否であり、キメの細かい良質の水あるいは温水を使用したシャワー洗浄あるいはシャワーマッサージカプセルの具現化が要望されている。【０００４】  本発明は、上記の要望を具現化することを目的とするものである。
【課題を解決するための手段】
【０００５】  本発明は上記目的を達成するために、図１に示すように、従来のシャワーカプセル（１）の給水口に任意の水分子微細化システム（２）を設けたものである。
尚、ここで言う任意の水分子微細化システム（２）とは、近年各メーカーで販売している超音波あるいは高周波を使用した電子給湯システムや図２に示すように、２つの強磁石（３）をＮ極とＳ極を水管（４）を挟んで対面に設けた磁化水生成装置等の、いわゆる多重結合した水の分子を高周波や強磁場等を使用して細分化し、軟水状の良質な水を精製する装置を総称している。
【発明の効果】
【０００６】  上記の課題解決手段による作用は次の通りである。
すなわち、シャワーカプセル（１）の注水口に設けた水分子微細化システム（２）がシャワーカプセル（１）に注水される水道水の水の分子を細分化し、極めてキメの細かい軟水状の良質な水に変換されてカプセル内で放水されることで、毛穴の深層部まで水の分子が行き渡り、従来にない極めて高い洗浄効果を発揮するため、アトピー性皮膚炎等の利用者にも影響が少なく、むしろ、これらの皮膚炎が改善方向にむかうこが期待できる。
また、当該カプセル内での身体の洗浄または水圧マッサージの際に、水質が軟質化されているため、皮膚への水の接触感がソフトになり、利用者の精神的爽快感を増す効果が同時に得られる。
【発明を実施するための最良の形態】
【０００７】  以下、本発明の実施の形態を図１〜図２に基づいて説明する。【０００８】  図１はに示すように、シャワーカプセル（１）の注水口に高周波を使用した電子給システム（３）を設けるか、あるいは、図２に示すような磁化水精製装置を、当該給水口に設ける。
尚、当該カプセルを温水で使用する場合は、高温から来る脱磁現象を避けるために、磁化水生成装置は、温水器の手前の水管に設けるのが望ましい。【０００９】  以上の構成により、本発明によるウォーターカプセルは、利用者の皮膚のコンディションを心配する事無く、従来に無い高い洗浄力と爽快感を利用者に提供することが可能となるのである。
【図面の簡単な説明】
【００１０】
【図１】  本発明の構成を説明する図である。
【図２】  本発明を構成する磁化水精製装置の構造を示す図である。
【符号の説明】
【００１１】      １  シャワーカプセル
２  水分子微細化システム
３  強磁石
４  水管
【図１】
2008036374.tif 000003
【図２】
2008036374.tif 000004
(57)【要約】【課題】  従来、通常の使用ではマットレス内部の湿気を効率よく除去することができず、内部に蓄積された湿気により、不快で、不衛生な状態で使用しなければならないが、マットレス内部の湿気を除去するために送風または吸引することができる通風孔を提供する。【解決手段】  マットレスの側生地に孔を開け、その孔から金属またはプラスチックからなる外板と裏板でマットレスの側生地を挟み込んで固定し、外板の中央付近に開閉できる通風孔を設ける。【選択図】図１
2008036371.tif 000002
【特許請求の範囲】
【請求項１】
マットレスに取り付ける送風または吸引をするための開閉できる通風孔。
【発明の詳細な説明】
【技術分野】
【０００１】  本発明は、スプリングタイプのマットレス内部に蓄積された湿気を除去するために、送風、または吸引をするための通風孔に関するものである。
【背景技術】
【０００２】  従来、睡眠中にかいた汗はマットレス内部に湿気として蓄積される。蓄積された湿気はマットレスの生地またはベンチレーター等から使用しているうちに自然に抜けていくように思われているが、実際３年位使用するとマットレスが重たく感じるほどマットレス内部に湿気が蓄積されている。
【発明の開示】
【発明が解決しようとする課題】
【０００３】  マットレス内部に湿気が溜まることで次のような問題点があった。
通常の使用ではマットレス内部の湿気を効率よく除去することができず、マットレス内部に蓄積された湿気により、不快で、不衛生な状態で使用しなければならなかった。
本発明は、以上の問題点を解決し、マットレス内部の湿気を除去するために送風または吸引できるようになされたものである。
【課題を解決するための手段】
【０００４】  マットレスの側生地に孔を開け、その孔から金属またはプラスチックからなる外板と裏板でマットレスの側生地を挟み込んで固定し、外板の中央付近に開閉できる通風孔を設ける。
本発明は、以上の構成よりなる送風または吸引をするための通風孔である。
【発明の効果】
【０００５】  本発明の通風孔から送風または吸引することで、湿気を除去できる。
現在使用しているマットレスに一般家庭で装着できる。
【発明を実施するための最良の形態】
【０００６】  以下、本発明の実施の形態を説明する。
（イ）金属またはプラスチックからなる外板（１）の中央付近に通風孔（２）を設け、内側に蓋用雌ねじ（３）を設ける。
（ロ）金属またはプラスチックからなる取っ手（４）付きの蓋（５）に蓋用雄ねじ（６）を設ける。
（ハ）マットレス内部（１６）側の通風孔（２）の周りに蝶番（７）で固定した金属またはプラスチックからなる裏板（８）を設ける。
（ニ）外板（１）の周りに複数の孔（９）を設ける。
（ホ）裏板（８）に複数の生地固定用雌ねじ（１０）を設ける。
（ヘ）外板（１）と裏板（８）を固定するために生地固定用雄ねじ（１１）を設ける。
（ト）マットレスの側生地（１２）に切り取る目安として通風孔（２）の大きさほどのシールを張る。
本発明は以上の構成によりなる。
本発明を使用する場合は、マットレスの側生地（１２）にシールを張り、その周りを切り取り、孔を開ける。その孔からマットレスの側生地（１２）を外板（１）と裏板（８）で挟み、外板（１）に設けた孔（９）と裏板に設けた生地固定用雌ねじ（１０）に生地固定用雄ねじ（１１）を入れて固定する。生地固定用雄ねじ（１１）を入れられるようにマットレスの側生地（１２）に孔を開けておく。マットレス（１３）の両側に装着して通風孔（２）から送風または吸引をする。通風孔（２）を使用しないときは蓋（５）をしておく。
【実施例】
【０００７】  現在使用しているマットレスに通風孔を装着して、エアコン、ドライヤー、除湿機、掃除機などで送風、吸引をする。または、専用の送風機、吸引機を製造し、送風、吸引をする。（某メーカーに依頼予定）
例えば、送風する温度を調節することでマットレス内部の温度調節ができる。また、マイナスイオンを送ることでリラックス効果が期待できる。
複数の通風孔を設けることでより効率的な湿気の除去ができる。
マットレス製造過程でベンチレーター等と同じように装着することによって簡素化できる。
【産業上の利用可能性】
【０００８】  本発明の通風孔は、マットレス内部の湿気を除去できるものとして製造、販売されるので、マットレス製造業者を中心に利用されうる。
【図面の簡単な説明】
【０００９】
【図１】  本発明の斜視図
【図２】  本発明の裏面図
【図３】  本発明を装着時の斜視図
【図４】  本発明を装着時の断面図
【符号の説明】
【００１０】  （１）外板、（２）通風孔、（３）蓋用雌ねじ、（４）取っ手、（５）蓋、（６）蓋用雄ねじ、（７）蝶番、（８）裏板、（９）孔、（１０）生地固定用雌ねじ、（１１）生地固定用雄ねじ、（１２）マットレス側生地、（１３）マットレス、（１４）ベッドフレーム、（１５）スプリング、（１６）マットレス内部
【図１】
2008036371.tif 000003
【図２】
2008036371.tif 000004
【図３】
2008036371.tif 000005
【図４】
2008036371.tif 000006
(57)【要約】【課題】  本発明は、ネックレス、ブレスレット等のアクセサリー・チェーンを加工することなくチェーンの付け外しを容易にし、アクセサリーの装着脱時の身体的負担の軽減と装着脱時間を短縮する。【解決手段】  本発明はアクセサリー・チェーンの片側に図３マグネットが固定されたホルダーを取り付け、アクセサリー・チェーンの反対側に図４マグネット、または鉄が固定されたホルダーを取り付ける。なお、図２デルリン、金属等適宜素材にて形成された筒が、図３と図４のホルダーの固定と吸着時のずれを防ぐガイドとなる。  マグネットの引き合う力を利用することで、チェーンの付け外しを容易にし、装着脱時の身体的負担を軽減し、装着脱時間を短縮した。【選択図】図６
2008036388.tif 000002
【特許請求の範囲】
【請求項１】
マグネットの引き合う力を利用することで、首の後ろ等の直接目で確認することのできない状態、またはブレスレット等の片手で作業をしなければならない状態であっても、チェーンの付け外しを容易にすることが可能となり、アクセサリーの装着脱の際の身体的負担の軽減と装着脱時間の短縮が図れる。
【請求項２】
アクセサリー・チェーンの両端に取り付けて用いる、マグネットを固定した接続補助部品であり、現在市販されているネックレス、ブレスレットの多くのタイプに取り付けが可能で、アクセサリーとチェーンを加工することなく、アクセサリー本来のデザインを生かすことができる。また、サイズ、形状、素材を変え、メッキなど装飾を施すことで、さらに幅広く活用が可能となる。
【請求項３】
図３、４のように、金属等適宜素材の筒状のホルダーを２つ作製し、片方のホルダーの筒内に接着剤・ネジ・カシメル事等で図３符合２マグネットを固定する。もう片方にも同様に図４符合４マグネットまたは鉄を固定する。
【請求項４】
図３のマグネットを固定した筒状のホルダーをネックレス、ブレスレット等のアクセサリー・チェーンの片側に、図６符合７鍵形の留め金で取り付け、図４のマグネットまたは鉄を固定したホルダーをアクセサリー・チェーンのもう片側にアクセサリーの鍵形の留め金で取り付ける。
【請求項５】
図３と図４のホルダーの固定と吸着時のズレを防ぐためのガイドとして、外側に図２の筒を作製する。図２の筒を図３のホルダーに接着剤等で固定するとより安定した状態になる。
【発明の詳細な説明】
【技術分野】
【０００１】  本発明は、マグネットの引き合う力を利用し、従来のアクセサリー・チェーンを加工することなく、チェーンの装着脱を容易にする接続補助部品に関するものである。
【背景技術】
【０００２】  ネッレス、ブレスレット等のチェーンの接続部分は鍵形が主流であった。
【発明の開示】
【発明が解決しようとする課題】
【０００３】  ネックレス、ブレスレット等のアクセサリーの装着脱は、首の後ろ等、直接目で確認することのできない状態、または片手でチェーンの付け外しをしなければならない。マグネットの引き合う力を利用することにより、チェーンの付け外しを容易にすることが可能となり、アクセサリーの装着脱の際の身体的負担の軽減と装着脱時間の短縮を図るものである。
【課題を解決するための手段】
【０００４】  本発明は、チェーンの片側に、接着剤・ネジ・カシメル事でマグネットを固定した接続部品を取り付け、チェーンの反対側には同じく接着剤・ネジ・カシメル事でマグネット、または鉄を固定した接続部品を取り付ける事により、チェーン本体を加工することなく本マグネット接続補助部品が使用でき、さらにチェーンの付け外しを容易にすることが可能となる。
【発明の効果】
【０００５】  上述の様に、本発明のマグネット付きアクセサリー・チェーン接続補助部品をアクセサリー・チェーンに取り付けることで、首の後ろ等の実際目で確認できない状態、またはブレスレット等の片手で作業しなければならない状態であっても、アクセサリー・チェーンの付け外しを容易にし、装着脱時の身体的負担の軽減と装着脱時間の短縮が可能となる。
【発明を実施するための最良の形態】
【０００６】  一実施例として、筒状のホルダーにマグネットを固定し、別の筒状のホルダーにマグネット、または鉄を固定する。両方のホルダーのマグネット面とマグネット、または鉄面が引き合う力を利用し接続部分となる。なお、接続されたふたつのホルダーを固定するため、マグネット同士、またはマグネットと鉄の吸着時のずれを防ぐガイドとして、外側に筒を設ける。
【実施例】
【０００７】以下、添付図面に従って一実施例を説明する。図３，４はデルリン、金属等適宜素材で形成された筒状のホルダーであり、図３にはマグネットが接着剤・ネジ・カシメル等適宜方法で固定されている。図４にはマグネット、または鉄が前述同様に固定されている。【０００８】図２はデルリン、金属等適宜素材にて形成された筒であり、図３，４のホルダーの固定と吸着時のずれを防ぐガイドの役割を果たす筒である。
【産業上の利用可能性】
【０００９】本発明のマグネット付きアクセサリー・チェーン接続補助部品は、現在販売されているネックレス、ブレスレットの多くのタイプに使用できる。サイズ、形状、素材を変え、メッキなど装飾をほどこすことで、さらに幅広く活用が可能となる。
【図面の簡単な説明】
【００１０】
【図１】本発明のマグネット付きアクセサリー・チェーン接続補助部品の正面図である。
【図２】図３と図４のホルダーの固定、また吸着時のずれを防ぐガイドとなる筒の正面図である。
【図３】マグネットが固定されたホルダーの正面図である。
【図４】マグネット、または鉄が固定されたホルダーの正面図である。図３と寸法は同じ。
【図５】図３と図４のホルダーの側面図である。
【図６】本発明のマグネット付きアクセサリー・チェーン接続補助部品の一活用例を示す正面図である。
【符号の説明】
【００１１】１  マグネットを固定するホルダー
２  マグネット
３  マグネット、または鉄を固定するホルダー
４  マグネット、または鉄
５  １，３のホルダーの固定と２，４の吸着時のずれを防ぐガイドとなる筒
６  アクセサリー
７  鍵形の留め金
【図１】
2008036388.tif 000003
【図２】
2008036388.tif 000004
【図３】
2008036388.tif 000005
【図４】
2008036388.tif 000006
【図５】
2008036388.tif 000007
【図６】
2008036388.tif 000008
(57)【要約】      （修正有）【課題】足指間の隙間を利用して装着固定できる突起物を有して、そのまま靴下を着用できる足裏用健康グッズ製品で、長時間靴を履いていても足が蒸れたり不快感を伴わず、中敷や靴下に工夫されたものを発展させ、靴下の中で常時装着できて蒸れや疲れを抑制できる製品を提供する。【解決手段】足指間を利用して装着固定できる突起物であり、通気性素材を用いた足裏用健康シートである。装着状態のまま靴下も着用でき、畳での生活時も活用できる。【選択図】図１
2008036347.tif 000002
【特許請求の範囲】
【請求項１】
足指間の隙間を利用して装着固定する突起物があって、そのまま靴下を着用できることを特徴とする足用健康グッズ製品。
【発明の詳細な説明】
【技術分野】
【０００１】
足指間の隙間を利用し固定できる突起物がある足の健康グッズ製品。
【背景技術】
【０００２】
靴下、靴の中敷、スリッパなどの健康対策には、様々な工夫がなされた製品があふれているが、本発明製品はそのどれにも属しない、足指間の隙間を利用して装着固定し、その足指間で固定する突起物により足の蒸れを和らげ、同時に足の各ツボに刺激を与えながら健康に役立てる足の健康グッズ製品。これは日常の生活で常に利用できる製品である。又、水虫治療用軟膏やパウダー薬を固定部突起物に塗布して活用できる。又、本発明グッズを装着した状態で靴下を着用したり、靴やスリッパも履けることを特徴とする。
【発明の開示】
【発明が解決しようとする課題】
【０００３】
長時間靴を履いて仕事を行う場合、足が蒸れたり、その為の異臭が発生して不快感を伴う。これを解消する為の市販製品に、色々工夫された靴下や中敷等があるが、靴下の中でも常時装着できて蒸れや疲れを抑制する足の健康製品はない。
【０００４】
水虫防止や治療用の軟膏やパウダー状薬の使用時、足指間に装着し活用する製品はない。
【０００５】
靴下にも健康面で色々工夫されたものがあるが、特に夏季間は靴下を脱いだ生活習慣となっており、この時に活用できる該当健康製品はない。
【課題を解決するための手段】
【０００６】
これらの課題を解決させ、終日不快感なく活用出来ることと、装着状態のまま靴下も着用でき、スリッパも併用でき、畳の生活時も活用できるように足指間を利用して装着固定できる突起物がある足指と足裏用の健康グッズである。
【発明の効果】
【０００７】
足指間の装着固定用突起部は、指間に隙間をつくり蒸れや異臭の抑制に役立ち、水虫防止や治療用の軟膏やパウダー状薬の使用時も活用できる。
【０００８】
足指間装着固定用突起部の接触部には足のツボがあり、これを刺激させて健康に役立ち、着用すると心地よさが得られる。
【０００９】
本発明品に工夫されたシート全面には、通気性を考慮した素材を使用。
【発明を実施するための最良の形態】
【００１０】
足裏にフィットさせ、足の親指と人差し指の間に装着固定とツボへの刺激を目的とする突起物を付けてある。又、それぞれの足指間にも同様の突起物をつけた製品とすることもできる。
【００１１】
足裏に面するシートは、通気性を考慮する網状や全面に小さな穴が空けられているシートを利用する。
【実施例】
【００１２】
手作りで製作した本発明品を装着したままで靴下を着用し、靴を履いての長時間仕事でも通常の疲れ少なく快適である。又、足の蒸れが抑制され心地よく、帰宅後、靴下を脱いで本発明品を装着したままでの生活も可能となった。
【００１３】
本発明品を装着したまま就眠したが、特に違和感無く、終日活用できることも確認できた。
【産業上の利用可能性】
【００１４】
ヒールや靴で長時間仕事をする看護婦、デパートの販売員、客室乗務員、サラリーマン、スポーツ選手などに活用できる製品である。
【００１５】
水虫の治療目的として、足指間の固定用突起物の治療用のパウダー薬や軟膏を塗して装着できる製品としても活用できる。
【図面の簡単な説明】
【００１６】
【図１】足の全ての指間で固定できる四つの突起物がある製品図
【図２】足の親指と人差し指間で固定できる一つの突起物がある製品図
【図３】足の親指と人差し指間及び薬指と小指間で固定できる、二つの突起物がある製品図。
【図４】足の全ての指間で固定する製品のＡ−Ａ断面図
【図５】足の親指と人差し指間で固定する製品のＢ−Ｂ断面図
【図６】親指と人差し指間及び薬指と小指間で固定する製品のＣ−Ｃ断面図
【符号の説明】
【００１７】
１  親指と人差し指間用の突起物
２  人差し指間と中指間用の突起物
３  中指と薬指間用の突起物
４  薬指間と小指間用の突起物
５  網状又は小さな穴を開けて加工したシート
【図１】
2008036347.tif 000003
【図２】
2008036347.tif 000004
【図３】
2008036347.tif 000005
【図４】
2008036347.tif 000006
【図５】
2008036347.tif 000007
【図６】
2008036347.tif 000008
(57)【要約】      （修正有）【課題】オゾン発生装置から洗顔容器にオゾンだけでなく炭酸ガスも供給可能にする。【解決手段】オゾン供給装置１のケース２の内部にはオゾン発生器６、ポンプ７、逆止弁８、１０などが内蔵され、アウトプットノズルには洗顔容器１２が、インプットノズルには炭酸ガスボンベ１４が接続される。オゾン供給装置１を稼働させると、ポンプ７からオゾン発生器６に送り込まれた空気の酸素がオゾンに変化させられ、オゾンを含んだ空気がアウトプットノズルから洗顔容器１２に供給される。オゾンを用いた洗顔後にオゾン供給装置１を停止させ、炭酸ガスボンベ１４からの炭酸ガスをインプットノズルに供給すれば、その炭酸ガスが洗顔容器１２に供給される。【選択図】図２
2008036074.tif 000002
【特許請求の範囲】
【請求項１】
ケース内にオゾン発生器を内蔵し、該オゾン発生器によって発生させたオゾンを吐出するための吐出口を前記ケースに設けた気体供給装置において、
オゾンとは別種の気体を導入するために前記ケースに設けられた導入口と、
該導入口と前記吐出口とを連通させる管路と
を備えたことを特徴とする気体供給装置。
【請求項２】
前記オゾンとは別種の気体は炭酸ガスであることを特徴とする請求項１記載の気体供給装置。
【発明の詳細な説明】
【技術分野】
【０００１】
本発明は、オゾンを発生させて供給する気体供給装置の技術分野に属する。
【背景技術】
【０００２】
オゾンを例えば洗顔容器などに供給するためのオゾン発生装置があり、一例として特開２００５−４６５６９号公報に開示のものがある。
【特許文献１】特開２００５−４６５６９号公報
【発明の開示】
【発明が解決しようとする課題】
【０００３】
従来のオゾン発生装置から洗顔容器に供給されるのはオゾン（オゾンを含んだ空気）だけであったので、オゾンによる効果しか期待できなかった。
【課題を解決するための手段】
【０００４】
請求項１記載の気体供給装置は、ケース内にオゾン発生器を内蔵し、該オゾン発生器によって発生させたオゾンを吐出するための吐出口を前記ケースに設けた気体供給装置において、
オゾンとは別種の気体を導入するために前記ケースに設けられた導入口と、該導入口と前記吐出口とを連通させる管路とを備えたので、
導入口からオゾンとは別種の気体を導入し、それを吐出口から外部、例えば洗顔容器につながれたチューブに吐出することができる。
【０００５】
従って、オゾンとは別種の気体を洗顔容器などに供給できるから、オゾンによる効果とは別の効果も期待できる。
オゾンとは別種の気体としては、請求項２記載の炭酸ガスが例示されるが、これに限るものではない。
【０００６】
炭酸ガスの場合、血管拡張作用、抗炎症作用、血液流動性改善作用、酸素解離曲線の右方シフト（Ｂｏｈｒ効果）等が知られており、洗顔容器などに炭酸ガスを供給すれば、バブリングによって水に溶け込んだ炭酸ガスによってこれらの効果を期待できる。
【発明を実施するための最良の形態】
【０００７】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例のオゾン供給装置１（気体供給装置に該当）は合成樹脂製のケース２を備えている。ケース２には、スイッチやダイヤルなど（図示は省略）が設けられた操作パネル３、アウトプットノズル４、インプットノズル５等が備わっている。
【０００８】
図２に示すように、ケース２の内部にはオゾン発生器６が内蔵されている。オゾン発生器６にはポンプ７が付属しており、ポンプ７にて空気をオゾン発生器６に送り込むことができる。オゾン発生器６の吐出側は逆止弁８を介してアウトプットノズル４に連通している。また、逆止弁８とアウトプットノズル４とをむすぶ配管９ａには、逆止弁１０を介してインプットノズル５からの配管９ｂが接続されている。
【０００９】
アウトプットノズル４及びインプットノズル５はパイプフィッティングであり、適合するサイズのチューブをワンタッチで着脱できる。アウトプットノズル４には、そうしたチューブ１１によって洗顔容器１２などが接続され、インプットノズル５には、同様にチューブ１３によって炭酸ガスボンベ１４が接続される。
【００１０】
なお、炭酸ガスボンベ１４には開閉弁付きのレギュレータ（図示略）が装着されており、レギュレータを操作することで炭酸ガスを送出させ、また停止させることができる。
このオゾン供給装置１では、操作パネル３のメインスイッチがオンにされると、オゾン発生器６及びポンプ７が稼働する。すると、ポンプ７がオゾン発生器６に空気を送り込み、オゾン発生器６が送り込まれた空気中の酸素の一部をオゾンに変化させる。そのオゾンを含んだ空気は、オゾン発生器６から逆止弁８を通り、アウトプットノズル４から送出される。これが洗顔容器１２に供給され、洗顔液中にオゾンが吐出されて溶け込む。その洗顔液にて洗顔すればオゾンによる効果がある。
【００１１】
そして、オゾンを用いた洗顔後に、メインスイッチをオフにして（オゾン発生器６及びポンプ７を停止）、炭酸ガスボンベ１４からの炭酸ガスをインプットノズル５に供給すれば、その炭酸ガスが配管９ｂ、逆止弁１０、配管９ａ、アウトプットノズル４、チューブ１１の経路で洗顔容器１２に供給される。すると、今度は洗顔液中に炭酸ガスが吐出されるので、この洗顔液に顔や手などを浸せば上述した炭酸ガスによる各種の効果を期待できる。
【００１２】
またメインスイッチをオンのまま（オゾン発生器６及びポンプ７を停止せずに）、炭酸ガスボンベ１４からの炭酸ガスをインプットノズル５に供給することもできる。この場合も、上記と同様に炭酸ガスによる各種の効果を期待できる。
【図面の簡単な説明】
【００１３】
【図１】実施例のオゾン供給装置の斜視図。
【図２】実施例のオゾン供給装置のプロセス説明図。
【符号の説明】
【００１４】
１・・・オゾン供給装置、
２・・・ケース、
４・・・アウトプットノズル、
５・・・インプットノズル、
６・・・オゾン発生器、
７・・・ポンプ、
８、１０・・・逆止弁、
９ａ、９ｂ・・・配管、
１２・・・洗顔容器、
１４・・・炭酸ガスボンベ。
【図１】
2008036074.tif 000003
【図２】
2008036074.tif 000004
(57)【要約】【課題】本考案は、種類の異なる傘への適応、使用者の身体の大きさに合わせた調節、簡単な脱着、また軽量でコンパクトに折り畳む事が出来る為、常に携帯も可能な、両手が自由に使える傘の支持具を提供する。【解決手段】傘にスポンジ、ゴムなどのスベリ止めに面ファスナーを取り付けた部品６と衿にクリップ８を取り付け、身体の衿付前中央帯状本体２に本体に取り付けた面ファスナー３を腰ベルトで折り返しが出来る程長くした衿付前中央帯状本体２を、腰ベルト４で身体に固着、握柄１０につけた部品６を衿付前中央帯状本体の面ファスナー３部分を腰ベルト４の適当な箇所に取り付け、衿付前中央帯状本体の面ファスナー３下部を折り返し、握柄１０を挟み、衿のクリップ８に傘軸９を取り付け、身体に固着する傘の支持具。【選択図】図２
2008036060.tif 000002
【特許請求の範囲】
【請求項１】
衿付前中央帯状本体の衿または胸部にクリップを取り付け、衿付前中央帯状本体と本体に取り付けている面ファスナーを折り返しが出来る程長くし、腰ベルトで衿付前中央帯状本体を身体に固着、握柄を衿付前中央帯状本体と衿付前中央帯状本体に取り付けている面ファスナーの折り返しの間に挟む、衿付前中央帯状本体の衿または胸部のクリップに傘軸を取り付け固着する、傘の支持具。
【発明の詳細な説明】
【技術分野】
【０００１】
本発明は傘をさしても両手が自由に使える、首に掛ける支持具に関する。
【背景技術】
【０００２】
従来、握柄を片側の肩に巻きつけて傘をさすことができ、両手を自由にする支持具、傘
が提案されている。
【特許文献１】特許公開広報「特開２００５−４０５５７号」
【発明の開示】
【発明が解決しようとする課題】
【０００３】
肩に握柄の部分を長くして巻きつけ傘をさし、両手が自由に使えるものと開示されてい
るが、取り付けが面倒であるとともに折り畳み傘のみ、利き手の逆の肩に取り付けると
使い易いなど限定される問題点がある。
【０００４】
本発明は、このような従来の問題を解決しようとするもので、身体に簡単に取付けがで
きるとともに折畳み傘以外の傘にも対応でき、また左右どちら側につけても関係なく、
両手が自由に使える、首に掛ける支持具を提供することを目的とするものである。
【０００５】
本発明の図面は解説のためのものであって、本発明の技術的範囲を限定するものではな
い。
【課題を解決するための手段】
【０００６】
そして、本発明は上記目的を達成するために握柄に取り付けるスポンジ、ゴムなどの
スベリ止めに面ファスナーを取り付けた部品と、傘の重量を負担する衿部分のクリップ
と、握柄を支持する衿付前中央帯状本体に取り付けている面ファスナーと、身体に固着
する腰ベルトによって構成したものである。
【発明の効果】
【０００７】
折り返しが出来るほど長くした面ファスナー付衿付前中央帯状本体に、一部面ファスナ
ー付腰ベルトを体型に合う位置に固着することと、腰ベルトの幅を調節することによっ
てあらゆる体型に適応する。
【０００８】
握柄に取り付けるスポンジ、ゴムなどのスベリ止めに面ファスナーを取り付けた部品は
種類の異なる握柄に取り付けることができ、面ファスナー付き衿付前中央帯状本体に握
り柄の部品を挟むことにより固着することが出来るのでほとんどの傘に適応する。
【０００９】
傘と支持具は面ファスナーとクリップだけの取り付けなので瞬時に脱着が可能である。
【００１０】
平面的な構造なので支持具と同じ色の被服であればほとんど同化してしまい目立だた
ない。
【００１１】
衿付前中央帯状本体はどんな素材でもよいので布であれば柔らかく折りたたんでコン
パクトに収納でき外出時も常に携帯することが出来る。
【発明を実施するための最良の形態】
【００１２】
衿付前中央帯状本体は開口部が少なく、衿付前中央帯状本体の前中央にチャックを取り
付けることによって簡単に衿付前中央帯状本体を首にかけることが出来る。
【００１３】
腰ベルトにも一部面ファスナーを取り付け、衿付前中央帯状本体の面ファスナー部分と
接合し、身体に固着する。
【００１４】
握柄にスポンジ、ゴムなどのスベリ止めをつけた面ファスナーの部品を取り付ける
【００１５】
衿付前中央帯状本体の面ファスナー部分を折り返し、握柄の部品を挟み固着する。
【００１６】
衿のクリップに傘軸を取り付け固着する。
【図面の簡単な説明】
【００１７】
【図１】本発明の実施形態の使用図
【図２】各部位説明図
【図３】腰ベルト詳細図
【図４】スベリ止め付き面ファスナー詳細図
【図５】衿付前中央帯状本体詳細図
【符号の説明】
【００１８】
１  衿
２  衿付前中央帯状本体
３  面ファスナー
４  腰ベルト
５  面ファスナー
６  スベリ止め付き面ファスナー
７  チャック
８  クリップ
９  傘軸
１０  握柄
【図１】
2008036060.tif 000003
【図２】
2008036060.tif 000004
【図３】
2008036060.tif 000005
【図４】
2008036060.tif 000006
【図５】
2008036060.tif 000007
(57)【要約】【課題】変更後の使用範囲として既に使用した範囲を設定する事態を生じにくく、低コストな丸駒チップを提供する。【解決手段】ホルダ２への取り付け角度を変えて切れ刃５の使用範囲を変更する丸駒チップにおいて、ホルダ２への取り付け角度に対応する模様７を外面に付す。【選択図】図１
2008036801.tif 000002
【特許請求の範囲】
【請求項１】
ホルダ（２）への取り付け角度を変えて切れ刃（５）の使用範囲を変更する丸駒チップにおいて、ホルダ（２）への取り付け角度に対応する模様を外面に付したことを特徴とする丸駒チップ。
【請求項２】
前記ホルダ（２）への取り付け角度に対応する模様として、周方向に一定の間隔をおいて境界線（７）を付した請求項１に記載の丸駒チップ。
【請求項３】
互いに異なる番号（８）を前記各境界線（７）間に付した請求項２に記載の丸駒チップ。
【発明の詳細な説明】
【技術分野】
【０００１】
この発明は、旋削加工やフライス加工に用いられる丸駒チップに関する。
【背景技術】
【０００２】
ホルダに取り付けて用いられるスローアウェイチップとして、丸駒チップが知られている。丸駒チップは、切れ刃の摩耗や破損が生じると、ホルダへの取り付け角度を変えることにより、切れ刃の使用範囲を変更して用いる。
【０００３】
しかし、作業者が切れ刃の使用範囲を変更する場合、誤って、変更後の使用範囲として既に使用した範囲を設定するおそれがあった。
【０００４】
そこで、変更後の使用範囲として既に使用した範囲を設定する事態を生じにくい丸駒チップとして、丸駒チップの座面側の端部外周に形成された一定ピッチのギアが、ホルダに形成されたギアに噛み合わされた状態で、ホルダに取り付けるようにしたものが知られている（特許文献１）。この丸駒チップは、ギアの噛み合い位置を変えることにより、ホルダへの取り付け角度を正確に割り出し、変更後の使用範囲として既に使用した範囲を設定する事態を防止するようにしている。
【特許文献１】特開平１１−２４５１０５号公報
【発明の開示】
【発明が解決しようとする課題】
【０００５】
しかし、丸駒チップとホルダのそれぞれにギアを形成するのはコスト高である。
【０００６】
この発明が解決しようとする課題は、変更後の使用範囲として既に使用した範囲を設定する事態を生じにくく、低コストな丸駒チップを提供することである。
【課題を解決するための手段】
【０００７】
上記の課題を解決するために、ホルダへの取り付け角度に対応する模様を外面に付した。
【０００８】
前記ホルダへの取り付け角度に対応する模様として、たとえば、周方向に一定の間隔をおいて境界線を付すことができ、このとき、互いに異なる番号を前記各境界線間に付するとより好ましい。
【発明の効果】
【０００９】
この発明の丸駒チップは、切れ刃の使用範囲を変更するときに、外面に付した模様を目印としてホルダへの取り付け角度を変えることができるので、変更後の使用範囲として既に使用した範囲を設定する事態を生じにくい。また、ホルダへの取り付け角度に対応する目印として外面に模様を付したので、ホルダへの取り付け角度に対応する形状を丸駒チップに形成する場合に比べて、低コストである。
【００１０】
また、前記ホルダへの取り付け角度に対応する模様として、周方向に一定の間隔をおいて境界線を付し、さらに、互いに異なる番号を前記各境界線間に付したものは、各境界線間に付した番号に基づいて既に使用した範囲と未使用の範囲とを区別することができるので、変更後の使用範囲として既に使用した範囲を設定する事態をより生じにくい。
【発明を実施するための最良の形態】
【００１１】
図１、図２に、この発明の丸駒チップの実施形態を示す。この丸駒チップは、中央に貫通孔１を有する円錐台状に形成され、貫通孔１に挿入したクランプねじ（図示せず）の締め込みによりホルダ２に固定可能となっている。また、側面３と大径側の端面４の交差稜の位置に、円形に連なる切れ刃５が形成され、小径側の端面６が座面となっている。
【００１２】
大径側の端面４には、図１に示すように、径方向に延びる境界線７が周方向に一定の間隔をおいて付され、その各境界線７の間に、互いに異なる番号８が付されている。
【００１３】
この丸駒チップは、使用中の切れ刃が摩耗したり、破損したりした場合、ホルダ２への取り付け角度を変えることにより、切れ刃５の使用範囲を変更する。このとき、境界線７を目印として、ホルダ２への取り付け角度を変えることができるので、変更後の使用範囲として既に使用した範囲を設定する事態を生じにくい。
【００１４】
また、この丸駒チップは、ホルダ２への取り付け角度に対応する目印として端面４に境界線７を付したので、ホルダ２への取り付け角度に対応する目印として取り付け角度に対応する形状を丸駒チップに形成する場合（たとえば、小径側の端部外周に一定ピッチのギアを形成する場合）に比べて、低コストである。
【００１５】
また、この丸駒チップは、互いに異なる番号８を各境界線７間に付したので、たとえば番号の若い順に切れ刃５の使用範囲を変更していくことにより、使用中の範囲に対応する番号に基づいて既に使用した範囲と未使用の範囲とを区別することができる。そのため、変更後の使用範囲として既に使用した範囲を設定する事態をより生じにくい。
【００１６】
各境界線７間に付す番号８は、図では、アラビア数字（１，２，３,・・・）を用いているが、ローマ数字（Ｉ，II，III，・・・）でもよく、アルファベット（Ａ，Ｂ，Ｃ，・・・）でもよい。
【００１７】
境界線７の形成は、たとえば端面４に周方向に一定の間隔をおいて境界線７をプリントしたり、コーティング部と非コーティング部の境界が周方向に一定の間隔をおいて形成されるように端面４にコーティングを施したりすることにより行なうことができる。
【００１８】
上記実施形態では、中央にクランプねじ用の貫通孔１を形成した丸駒チップを例に挙げて説明したが、この発明は、押え金でホルダ２に押さえ付けて取り付ける形式の丸駒チップに適用することもできる。
【００１９】
また、図３に示すように、丸駒チップを円柱状に形成し、一方の端面９と側面１０との交差稜の位置と、他方の端面１１と側面１０の交差稜の位置に、それぞれ円形に連なる切れ刃１２，１３を形成し、各端面９，１１に、上記実施形態と同様の模様を付してもよい。このようにすると、丸駒チップを裏返しても使用することができるので、経済的である。
【図面の簡単な説明】
【００２０】
【図１】この発明の実施形態の丸駒チップを示す平面図
【図２】図１のII−II線に沿った断面図
【図３】図２の変形例を示す断面図
【符号の説明】
【００２１】
２      ホルダ
５      切れ刃
７      境界線
８      番号
【図１】
2008036801.tif 000003
【図２】
2008036801.tif 000004
【図３】
2008036801.tif 000005
(57)【要約】【課題】  プリザーブドフラワーを装飾具材とする複数の装飾具をバッグの被装飾部分に自在に係脱する方法を発明することにより、フラワーアレンジメント同様に自由度の高いデザイン形成方法を活用しながら、バッグに装飾を施すことを可能にする。また、該方法の応用により、プリザーブドフラワーに具材を限定しない装飾具をバッグに限定しない被装飾体に自在に係脱することにより、実用製品に自由度の高いデザイン装飾を施す。【解決手段】  プリザーブドフラワー等の装飾具材１２に凹部を有する係止部材１１を接合した装飾具１０を複数製造し、被装飾体２０の被装飾部分２０ａに固定した凸部を有する被係止部材２１に着脱自在に係止することにより、装飾を行う。【選択図】  図１
2008036818.tif 000002
【特許請求の範囲】
【請求項１】
装飾具材であるプリザーブドフラワー（１２）に係止部材（１１）を取付けた装飾具（１０）。
【請求項２】
請求項１記載の装飾具を複数製造し、バッグ本体（２０）の被装飾部分（２０ａ）に固定した複数の被係止部材（２１）に着脱自在に係合することによりバッグに装飾を施す方法、ならびに該方法により装飾を施したバッグ。
【請求項３】
プリザーブドフラワーに限定されない装飾具材に係止部材を取付けた装飾具。
【請求項４】
請求項４に記載の装飾具を複数製造し、バッグに限定されない被装飾体の被装飾部分に固定された複数の被係止部材に着脱自由に係合することにより装飾を施す方法、ならびに該方法により装飾を施した製品。
【発明の詳細な説明】
【技術区分】
【０００１】  本発明は、フラワーアレンジメントで使用されている自由度の高いデザイン形成方法をバッグ等の実用製品に装飾具を取付ける際に活用するための技術である。
【背景技術】
【０００２】  プリザーブドフラワーとは、生花に薬品を使用した特殊加工を施すことにより、生花のみずみずしさや風合いを最長３〜５年間保つことができるようにしたもの。これを装飾具に使用することにより、生花特有の高い品質感を被装飾体に付与することが可能。【０００３】  プリザーブドフラワーを使用したフラワーアレンジメントの方法とは、プリザーブドフラワーの茎にワイヤーを取付け、ウレタン樹脂等を原料とする『フローラルフォーム』と称されるスポンジに複数のプリザーブドフラワーを自在に刺して固定することにより自由度の高いデザインを可能ならしめる方法である。【０００４】  プリザーブドフラワーをバッグの装飾に使用する場合に上記のフラワーアレンジメントの方法を取り入れようとすると、予め『フローラルフォーム』をバッグに取付けることが必要となることから、フローラルフォームの容積がバッグの収納スペースを減じてしまうという問題が生じる。【０００５】  一方、プリザーブドフラワーをバッグに縫い付けるか接着剤等で接合する方法によりバッグを装飾する場合には、プリザーブドフラワーを被装飾体に自在に着脱することにより担保されているフラワーアレンジメントの自由度の高いデザイン形成手段が活用できないという欠点がある。
【発明の開示】
【発明が解決しようとする課題】
【０００６】  装飾具材として使用するプリザーブドフラワーを被装飾体であるバッグに自在に係脱できる方法を発明することにより、バッグとしての実用性を損なうことなく、またフラワーアレンジメント同様に自由度の高いデザイン形成方法を活用しながら、バッグに装飾を施すことを可能にする。【０００７】  上記の方法を応用し、プリザーブドフラワーに部材を限定しない装飾具をバッグに限定しない被装飾体に自在に係脱することにより、自由度の高いデザイン形成方法を活用しながら、実用製品に装飾を施すことを可能にする。
【課題を解決するための手段】
【０００８】  プリザーブドフラワーに係止部材を取付けた複数の装飾具を、バッグ本体の被装飾部分に固定した複数の被係止部材に着脱自在に係合することによりバッグに装飾を施す。【０００９】  上記の方法を応用して、プリザーブドフラワーに限定しない装飾具材に係止部材を取付けた複数の装飾具を、バッグに限定しない被装飾体の被装飾部分に固定された複数の被係止部材に着脱自由に係合することにより装飾を施す。
【発明を実施するための最良の形態】
【００１０】  凹部を有する係止部材１１にプリザーブドフラワー１２を接合することにより、装飾具１０を複数製造する。【００１１】  バッグ本体２０の被装飾部分２０ａに凸部を有する被係止部材２１を複数固定する。【００１２】  係止部材１１にプリザーブドフラワー１２を接合した複数の装飾具を、バッグ本体の被装飾部分２０ａに固定した複数の被係止部材２１に着脱自在に係止することにより、プリザーブドフラワーをアレンジしたバッグ（以下『プリザーブドフラワーバッグ』と云う）を完成する。
【発明の効果】
【００１３】  プリザーブドフラワーを係止部材に接合した複数の装飾具をバッグ本体に着脱自在に係止することにより、フラワーアレンジメントが持つ自由度の高いデザイン形成を伴う装飾が可能になる。
【００１４】  上記の係止部材とプリザーブドフラワーで構成する装飾具を別売りすることにより、『プリザーブドフラワーバッグ』の購入者が後に装飾具を自由に取り替えることが可能になる。
【００１５】  プリザーブドフラワーに限定しない様々な装飾具材を係止部材に接合し、衣類、タオル、帽子、テーブルクロス、カーテン、クッション、毛布、布団等のバッグ以外の被装飾体に予め固定した複数の被係止部材に着脱自在に係止することにより、バッグ以外の実用製品についても自由度の高いデザイン形成を伴う装飾が可能になる。
【図面の簡単な説明】
【図１】本発明の斜視図
【符号の説明】
１１は凹部を有する係止部材、１２は装飾具材であるプリザーブドフラワー、
１０は１１と１２から成る装飾具、２０は被装飾体であるバッグ本体、
２０ａは２０の被装飾部分、２１は凸部を有する被係止部材
【図１】
2008036818.tif 000003
(57)【要約】【課題】さまざまな機器が無接点充電方式を採用し始めているが、それぞれが形の違う充電器を持つことで、それら充電器の置き場所に困ることや、そららの電源コードの氾濫を解決すること。【解決手段】机に無接点充電方式の機器に対する充電機能を内臓し、卓上にそれに対応した機器を置くだけで充電を可能とする。  【選択図】図１
2008036101.tif 000002
【特許請求の範囲】
【請求項１】
無接点充電方式の機器に対する充電機能を内臓した机。
【発明の詳細な説明】
【技術分野】
【０００１】
本発明は、無接点充電方式の機器に対して充電を行うことが可能である充電機能を内臓した机に関するものである。
【背景技術】
【０００２】
無接点充電方式の機器は接点がないため、ホコリや汚れ、防水性などに優れていることが知られている。
【特許文献１】公開番号 : 特許公開平１０−１４１２６ ６
【発明の開示】
【発明が解決しようとする課題】
【０００３】
さまざまな機器が無接点充電方式を採用し始めているが、それぞれが形の違う充電器を持つことで、結果的にそれら充電器の置き場所に困ることや、そららの電源コードが氾濫する状況は珍しくない。本発明は、これらの問題点を解決するためになされたものである。
【課題を解決するための手段】
【０００４】
机に無接点充電方式の機器に対する充電機能を内臓する。
【発明の効果】
【０００５】
本発明の机は、無接点充電方式の機器に対して充電を行うことが可能なため、それに対応した機器を卓上に置くだけで充電状態となる。それにより機器によって異なっていた各充電器は不要となり、また電源までのコードは机から出る1本にまとめることが可能となる。加えて、防水性にも優れているため通常の机と同様な手入れにより清潔に保つことが可能である。
【発明を実施するための最良の形態】
【０００６】
机に無接点充電方式の機器に対する充電機能を内臓することによる。
【実施例１】
【０００７】
図１は、本発明装置の１つの実施例の図である。まず１の机から出ている電源ケーブルを家庭用コンセントに差し込むことにより３の机に内臓された充電器に電力供給が行われる。２のスイッチでオン・オフが切り替えられる。４の無接点充電方式に対応した機器を卓上に置くだけでその機器に対して充電が行える仕組み。
【産業上の利用可能性】
【０００８】
今後、無接点充電方式に対応した機器が数多くなる中、本発明によりデスク周りのケーブル取り回しをスリム化することが可能である。また充電器を削減できることにより、コンセントにさしっぱなし状態を減らし省エネルギーに貢献することになる。加えて、スリム化されることによりケーブルにつまずくことや漏電などの事故を未然に防止することを可能とする。
【図面の簡単な説明】
【０００９】
【図１】卓上コードレスデスクの実施方法を示した説明図である。（実施例１）
【符号の説明】
【００１０】
１    電源コード
２    電源スイッチ
３    充電装置が内臓されている机
４    無接点充電方式の機器
【図１】
2008036101.tif 000003
(57)【要約】      （修正有）【課題】室内での使用が制限されていたスプレーを、改良して場所を選ばずに噴射することができるようにしたスプレーを提供する。【解決手段】容器１内に高圧ガスと水を入れ、上部に噴射ボタン２を取付け、噴射口３より霧状の水が噴射し噴射ボタンを離すと噴射が止まるスプレー。【選択図】図１
2008036613.tif 000002
【特許請求の範囲】
【請求項１】
容器内に高圧ガスと水を入れ、噴射ボタンを押すと噴射口から霧状の水が噴射し、噴射ボタンを離すと噴射が止まる水スプレー。
【発明の詳細な説明】
【技術分野】
【０００１】  本発明は、水を霧状に噴射して利用する技術に関する。
【背景技術】
【０００２】  霧状に噴射して利用可能にする技術としては、各種の殺虫剤スプレーがある。
【発明の開示】
【発明が解決しようとする課題】
【０００３】  ハエや蚊を捕獲するのに有毒な殺虫剤スプレーがある。水スプレーは無害で安全である水を噴射し、ハエや蚊を捕獲することを目的とする。
【課題を解決するための手段】
【０００４】  容器内に高圧ガスと水を入れ、噴射ボタンを押すと噴射口から霧状の水が噴射し、噴射ボタンを離すと噴射が止まる請求項１の水スプレー。
【発明の効果】
【０００５】  水を噴射し、羽根を濡らして飛べない状態にして捕獲する。【０００６】  無害であるので人や動物、又、食堂や寝室等の各室内での使用場所が制限されずに噴射できる。
【図面の簡単な説明】
【０００７】
【図１】  正面から見た外観図
【符号の説明】
【０００８】  １．容器
２．噴射ボタン
３．噴射口
【図１】
2008036613.tif 000003
(57)【要約】【課題】  建設内装下地材施工時間の短縮と、下地の汚れ防止になる接着剤塗布具を提供する。【解決手段】  容器（４）により押し出されたボンド糊が本体（１）の先端部分に設けられた仕切り口（３）を通り、溝（２）により均一に糊ダレをなくし、蛇腹（５）により角度の遊びを設ける接着剤塗布具を特徴とする。【選択図】図１
2008036615.tif 000002
【特許請求の範囲】
【請求項１】
各種木工ボンド先端部分に取り付ける本体（１）に数ヶ所の溝（２）を設ける事で、本体（１）より押し出されるボンド液が仕切り口（３）中央部よりボンド液が出て来る事を特徴とする接着剤塗布具。
【発明の詳細な説明】
【発明の詳細な説明】
【技術分野】
【０００１】  この発明は建設内装工事施行にあたり木工ボンド糊付工事における接着剤塗布具である。
【背景技術】
【０００２】  従来の木工ボンド商品は１ヵ所の切口によりボンドが出て来る事で建設工事施工使用の際数回に渡りボンド糊付け施工がなされていた。
【発明が解決しようとする課題】
【０００３】  これは次のような欠点があった。
イ、  建設巾木、又は内装下地材の糊付けが均一にされていなかった。
ロ、  巾木に合う寸法の工具がなかった。
ハ、  糊ダレがして、汚れの原因になっていた。
本発明は以上の欠点を解決する為になされたものである。
【課題を解決するための手段】
【０００４】  ボンドキャップ工具本体（１）の先端部分にはボンドが通る溝（２）を設ける。その本体（１）中央内部よりボンド糊が出てくる仕切り口（３）を設ける事により、押し出す力により建設巾木、内装下地材への糊付けが出来る。また、容器（４）の中にはボンド糊を溜める事が出来、糊付け工事に使用する時、均一に糊付けが出来る。
本発明は以上の構成によりなる接着剤塗布具である。
【発明を実施するための最良の形態】
【０００５】  以下、本発明の実施の形態を説明する。
本体（１）の先端部分は勾配を設け
本体（１）の先端部分には、数ヶ所の溝（２）を設ける。
本体（１）の内部にはボンド糊を溜める空間を設ける。
本体（１）の尖端中央部に糊が出てくる仕切り口（３）を設ける。
本体（１）のキャップ部に角度を付ける蛇腹（５）を設ける。
本発明は以上の構成により使用する。
本発明を使用する時は、容器（４）の中にボンド糊を注入し、押し出す力により先端部分により、ボンド糊が均一に糊付けされる溝（２）を設ける事で糊ダレなどの原因を起こさず、糊付けの手間と時間の短縮にもつながる事になる。又、下地材の天井壁側床面の糊付けに対してボンドが数ヶ所の溝（２）により平行線を引く糊付けが出来る。
【発明の効果】
【０００６】  本発明を使用する事によって、建設巾木、内装下地材の糊付け施工時間が大幅に短縮されることで、時間の節約、天井、壁、床面の汚れ防止につながる事となる。
【図面の簡単な説明】
【図１】  本発明の斜視図
【図２】  本発明の使用状態を示す斜視図
【符号の説明】
１  本体
２  溝
３  仕切り口
４  容器
５  蛇腹
【図１】
2008036615.tif 000003
【図２】
2008036615.tif 000004